(57)【要約】【課題】  １枚の原稿を原稿台への置き方を変えて複数回読み取る処理において、１回目の原稿の読み取りが終わったことに基づいて実行されるユーザへの通知を、ユーザに認識させ易くすることを目的とする。【解決手段】  第１読み取り処理が完了したことに基づいて、スピーカにより発せられる音による所定の通知を実行する通知手段を有する読取制御装置を提供することによって課題を解決する。【選択図】  図１
2020022086.tif 000002
【特許請求の範囲】
【請求項１】
原稿台と、所定のサイズの原稿が前記原稿台に載置された場合に前記所定のサイズの原稿によって少なくとも一部が覆われる表示部と、を有する読取制御装置であって、
前記原稿台に載置された原稿を読み取る読み取り手段と、
前記表示部に、前記原稿の第１の領域を読み取るための第１読み取り処理の実行指示を受け付けるための画面を表示する第１表示手段と、
前記第１読み取り処理の実行指示が受け付けられたことに基づいて、前記第１読み取り処理を実行する第１読み取り手段と、
前記第１読み取り処理が完了したことに基づいて、スピーカにより発せられる音による所定の通知を実行する通知手段と、
前記表示部に、前記原稿の前記第１の領域と異なる領域を含む第２の領域を読み取るための第２読み取り処理の実行指示を受け付けるための画面を表示する第２表示手段と、
前記第２読み取り処理の実行指示が受け付けられたことに基づいて、前記第２読み取り処理を実行する第２読み取り手段と、
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力手段と、
を有することを特徴とする読取制御装置。
【請求項２】
前記第２読み取り処理が完了したことに基づいて、前記所定の通知が行われないことを特徴とする請求項１に記載の読取制御装置。
【請求項３】
前記表示部に、前記原稿の全面を読み取るための第３読み取り処理の実行指示を受け付けるための画面を表示する第３表示手段と、
前記第３読み取り処理の実行指示が受け付けられたことに基づいて、前記第３読み取り処理を実行する第３読み取り手段と、
前記第３読み取り処理が完了したことに基づいて、前記第３読み取り処理によって得られた画像データに基づく画像を出力するための画像出力処理を実行する画像出力手段と、
をさらに有することを特徴とする請求項１又は２に記載の読取制御装置。
【請求項４】
前記第３読み取り処理が完了したことに基づいて、前記所定の通知が行われないことを特徴とする請求項３に記載の読取制御装置。
【請求項５】
前記第１読み取り処理によって読み取られる原稿のサイズに関する情報の入力を受け付ける受け付け手段と、をさらに有し、
前記入力された情報に基づくサイズが第１のサイズである場合、前記第１読み取り処理が完了したことに基づいて、前記所定の通知が行われ、前記入力された情報に基づくサイズが前記第１のサイズより小さい第２のサイズである場合、前記第１読み取り処理が完了したことに基づいて、前記所定の通知が行われないことを特徴とする請求項１乃至４のいずれか１項に記載の読取制御装置。
【請求項６】
前記所定の通知は、前記スピーカによりブザー音を発することによる通知であることを特徴とする請求項１乃至５のいずれか１項に記載の読取制御装置。
【請求項７】
前記所定の通知は、前記スピーカにより音声を発することによる通知であることを特徴とする請求項１乃至５のいずれか１項に記載の読取制御装置。
【請求項８】
前記所定の通知が実行される場合、さらに、発光部により光を発することによる通知が実行されることを特徴とする請求項１乃至７のいずれか１項に記載の読取制御装置。
【請求項９】
前記所定の通知は、前記第１読み取り処理が完了したことをユーザに通知するための通知であることを特徴とする請求項１乃至８のいずれか１項に記載の読取制御装置。
【請求項１０】
前記所定の通知は、前記第２読み取り処理のために、前記原稿台上の原稿を載置し直すことをユーザに通知するための通知であることを特徴とする請求項１乃至９のいずれか１項に記載の読取制御装置。
【請求項１１】
前記第１読み取り処理が完了したことに基づいて、前記所定の通知及び、前記表示部に画面を表示することによる通知が実行されることを特徴とする請求項１乃至１０のいずれか１項に記載の読取制御装置。
【請求項１２】
前記出力処理は、前記第１読み取り処理によって得られた画像データに基づく画像と前記第２読み取り処理によって得られた画像データに基づく画像とを含む画像を印刷する処理であることを特徴とする請求項１乃至１１のいずれか１項に記載の読取制御装置。
【請求項１３】
前記出力処理は、前記第１読み取り処理によって得られた画像データに基づく画像と前記第２読み取り処理によって得られた画像データに基づく画像とを含む画像を前記表示部に表示する処理であることを特徴とする請求項１乃至１１のいずれか１項に記載の読取制御装置。
【請求項１４】
前記出力処理は、前記第１読み取り処理によって得られた画像データに基づく画像と前記第２読み取り処理によって得られた画像データに基づく画像とを含む画像を、他の装置が備える表示部に表示する処理であることを特徴とする請求項１乃至１１のいずれか１項に記載の読取制御装置。
【請求項１５】
前記出力処理は、前記第１読み取り処理によって得られた画像データに基づく画像と前記第２読み取り処理によって得られた画像データに基づく画像とを含む画像を表す画像データを、他の装置に送信する処理であることを特徴とする請求項１乃至１１のいずれか１項に記載の読取制御装置。
【請求項１６】
前記出力処理は、前記第１読み取り処理によって得られた画像データに基づく画像と前記第２読み取り処理によって得られた画像データに基づく画像とを含む画像を表す画像データを、所定のメモリに保存する処理であることを特徴とする請求項１乃至１１のいずれか１項に記載の読取制御装置。
【請求項１７】
前記第１の領域と前記第２の領域は、前記原稿の同一の面に含まれる領域であることを特徴とする請求項１乃至１６のいずれか１項に記載の読取制御装置。
【請求項１８】
前記表示部は、前記読取制御装置の筐体の側面に位置することを特徴とする請求項１乃至１７のいずれか１項に記載の読取制御装置。
【請求項１９】
原稿台と、所定のサイズの原稿が前記原稿台に載置された場合に前記所定のサイズの原稿によって少なくとも一部が覆われる表示部と、を有する読取制御装置の制御方法であって、
前記原稿台に載置された原稿を読み取る読み取りステップと、
前記表示部に、前記原稿の第１の領域を読み取るための第１読み取り処理の実行指示を受け付けるための画面を表示する第１表示ステップと、
前記第１読み取り処理の実行指示が受け付けられたことに基づいて、前記第１読み取り処理を実行する第１読み取りステップと、
前記第１読み取り処理が完了したことに基づいて、スピーカにより発せられる音による所定の通知を実行する通知ステップと、
前記表示部に、前記原稿の前記第１の領域と異なる領域を含む第２の領域を読み取るための第２読み取り処理の実行指示を受け付けるための画面を表示する第２表示ステップと、
前記第２読み取り処理の実行指示が受け付けられたことに基づいて、前記第２読み取り処理を実行する第２読み取りステップと、
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力ステップと、
を有することを特徴とする制御方法。
【請求項２０】
原稿台と、所定のサイズの原稿が前記原稿台に載置された場合に前記所定のサイズの原稿によって少なくとも一部が覆われる表示部と、を有する読取制御装置のコンピュータに、
前記原稿台に載置された原稿を読み取る読み取りステップと、
前記表示部に、前記原稿の第１の領域を読み取るための第１読み取り処理の実行指示を受け付けるための画面を表示する第１表示ステップと、
前記第１読み取り処理の実行指示が受け付けられたことに基づいて、前記第１読み取り処理を実行する第１読み取りステップと、
前記第１読み取り処理が完了したことに基づいて、スピーカにより発せられる音による所定の通知を実行する通知ステップと、
前記表示部に、前記原稿の前記第１の領域と異なる領域を含む第２の領域を読み取るための第２読み取り処理の実行指示を受け付けるための画面を表示する第２表示ステップと、
前記第２読み取り処理の実行指示が受け付けられたことに基づいて、前記第２読み取り処理を実行する第２読み取りステップと、
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力ステップと、
を実行させることを特徴とするプログラム。
【請求項２１】
原稿台と、所定のサイズの原稿が前記原稿台に載置された場合に前記所定のサイズの原稿によって少なくとも一部が覆われる表示部と、を有する読取制御装置であって、
前記原稿台に載置された原稿を読み取る読み取り手段と、
前記表示部に、前記原稿の第１の領域を読み取るための第１読み取り処理の実行指示を受け付けるための画面を表示する第１表示手段と、
前記第１読み取り処理の実行指示が受け付けられたことに基づいて、前記第１読み取り処理を実行する第１読み取り手段と、
前記第１読み取り処理が完了したことに基づいて、発光部により発せられる光による所定の通知を実行する通知手段と、
前記表示部に、前記原稿の前記第１の領域と異なる領域を含む第２の領域を読み取るための第２読み取り処理の実行指示を受け付けるための画面を表示する第２表示手段と、
前記第２読み取り処理の実行指示が受け付けられたことに基づいて、前記第２読み取り処理を実行する第２読み取り手段
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力手段と、
を有し、
前記発光部は、前記所定のサイズの原稿が前記原稿台に載置された場合に、前記所定のサイズの原稿によって覆われない位置に位置することを特徴とする読取制御装置。
【発明の詳細な説明】
【技術分野】
【０００１】
本発明は、読取制御装置、制御方法、及びプログラムに関する。
【背景技術】
【０００２】
大判の１枚の原稿を、原稿台への原稿の置き方を変えて複数回読み取る大判原稿スキャンを行うことが可能な読取制御装置が知られている。
【０００３】
特許文献１には、１回で読み取り可能なサイズより大きなサイズの原稿を、複数回に分けて読み取ることによって、複数個のスキャンデータを生成することが記載されている。
【先行技術文献】
【特許文献】
【０００４】
【特許文献１】特開２０１５−２１３２５３
【発明の概要】
【発明が解決しようとする課題】
【０００５】
ところで、大判原稿スキャンにおける複数回の読み取りのうち２回目の読み取りが行われるためには、原稿台上の原稿を載置し直す操作や、２回目の読み取りのための指示を行う操作等のユーザ操作が、１回目の読み取りが完了した後に行われる必要がある。そのため、大判原稿スキャンにおいては、読取制御装置は、１回目の読み取りが完了したことに基づいて、ユーザに通知を行うことが好ましい。そして、ユーザへの通知は一般に、読取制御装置が備える表示部に、通知画面を表示することで行われる。しかしながら、大判原稿スキャンにおいては、大判の原稿が読み取られるため、表示部の位置や大きさによっては、原稿台に載置されている大判の原稿によって表示部が覆われてしまい、ユーザへの通知が行われづらくなることがあるという課題がある。ひいては、大判原稿スキャンにおいては、原稿の読み取りが終わったことに基づいて実行されるユーザへの通知が、ユーザによって認識しづらいことがあるという課題がある。
【０００６】
そこで、本実施形態では、１枚の原稿を原稿台への置き方を変えて複数回読み取る処理において、１回目の原稿の読み取りが終わったことに基づいて実行されるユーザへの通知を、ユーザに認識させ易くすることを目的とする。
【課題を解決するための手段】
【０００７】
上記の目的を達成するための本発明による読取制御装置は、
原稿台と、所定のサイズの原稿が前記原稿台に載置された場合に前記所定のサイズの原稿によって少なくとも一部が覆われる表示部と、を有する読取制御装置であって、
前記原稿台に載置された原稿を読み取る読み取り手段と、
前記表示部に、前記原稿の第１の領域を読み取るための第１読み取り処理の実行指示を受け付けるための画面を表示する第１表示手段と、
前記第１読み取り処理の実行指示が受け付けられたことに基づいて、前記第１読み取り処理を実行する第１読み取り手段と、
前記第１読み取り処理が完了したことに基づいて、スピーカにより発せられる音による所定の通知を実行する通知手段と、
前記表示部に、前記原稿の前記第１の領域と異なる領域を含む第２の領域を読み取るための第２読み取り処理の実行指示を受け付けるための画面を表示する第２表示手段と、
前記第２読み取り処理の実行指示が受け付けられたことに基づいて、前記第２読み取り処理を実行する第２読み取り手段と、
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力手段と、
を有することを特徴とする。
【０００８】
また、本発明による読取制御装置は、
原稿台と、所定のサイズの原稿が前記原稿台に載置された場合に前記所定のサイズの原稿によって少なくとも一部が覆われる表示部と、を有する読取制御装置であって、
前記原稿台に載置された原稿を読み取る読み取り手段と、
前記表示部に、前記原稿の第１の領域を読み取るための第１読み取り処理の実行指示を受け付けるための画面を表示する第１表示手段と、
前記第１読み取り処理の実行指示が受け付けられたことに基づいて、前記第１読み取り処理を実行する第１読み取り手段と、
前記第１読み取り処理が完了したことに基づいて、発光部により発せられる光による所定の通知を実行する通知手段と、
前記表示部に、前記原稿の前記第１の領域と異なる領域を含む第２の領域を読み取るための第２読み取り処理の実行指示を受け付けるための画面を表示する第２表示手段と、
前記第２読み取り処理の実行指示が受け付けられたことに基づいて、前記第２読み取り処理を実行する第２読み取り手段
前記第２読み取り処理が完了したことに基づいて、前記第１読み取り処理によって得られた画像データに基づく画像と前記第２読み取り処理によって得られた画像データに基づく画像とを含む画像を出力するための出力処理を実行する出力手段と、
を有し、
前記発光部は、前記所定のサイズの原稿が前記原稿台に載置された場合に、前記所定のサイズの原稿によって覆われない位置に位置することを特徴とする。
【発明の効果】
【０００９】
本発明によれば、１枚の原稿を原稿台への置き方を変えて複数回読み取る処理において、１回目の原稿の読み取りが終わったことに基づいて実行されるユーザへの通知を、ユーザに認識させ易くすることができる。
【図面の簡単な説明】
【００１０】
【図１】読取制御装置の外観図
【図２】画像読取制御部の概略断面図
【図３】読取制御装置のハードウェア構成図
【図４】コピー機能に関する画面の一例を示す図
【図５】大判原稿コピーのために大きな原稿が原稿台上にセットされている状態の読取制御装置の外観図
【図６】読取制御装置が実行する処理を示すフローチャート
【図７】大判原稿コピーにおける画像の結合処理を説明するための図
【図８】読取制御装置のサイズを示した図
【図９】読取制御装置が実行する処理を示すフローチャート
【発明を実施するための形態】
【００１１】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１２】
（第１実施形態）
本発明を適用した読取制御装置について説明する。本実施形態において、読取制御装置として、読み取り部に読み取り対象を読み取らせて画像データを取得する画像読取機能（スキャン機能）及びインクジェット記録方式の印刷機能を有する複合機を例示している。しかし、読取制御装置は、ＭＦＰではなく、画像読取機能のみ有する単機能の装置であっても良い。読取制御装置は、画像読取装置として機能しても良い。
【００１３】
＜読取制御装置の構成＞
図１は、本実施形態を適用する読取制御装置であるＭＦＰ１００の外観図である。ＭＦＰ１００は、原稿を置くためのコンタクトガラスで構成される原稿台１０１、原稿台１０１に置いた原稿を上から押さえるスキャナカバー（圧板）１０２、操作表示部１０３、印刷した用紙を排紙する排紙口１０４、用紙を供給する給紙口１０５を備えている。
【００１４】
スキャンを行う場合、ユーザは、原稿台１０１に原稿を置いてから、スキャナカバー１０２を閉める。そして、操作表示部１０３を操作し、ＭＦＰ１００に、原稿台１０１上の原稿を読み取らせる。コピーを行う場合は、上記のスキャン処理に加え、ＭＦＰ１００は、給紙口１０５にセットされている用紙に対して、原稿の読み取りにより得られた画像データに基づく画像の印刷を行う。そして、ＭＦＰ１００は、印刷した用紙を、排紙口１０４から排出する。
【００１５】
本実施形態において、ＭＦＰ１００が一度に読み取り可能な原稿の最大サイズは、Ａ４であるものとするが、それと異なってもよい。また、給紙口１０５にセット可能な用紙の最大サイズは、Ａ３であるものとするが、それとＡ３と異なってもよい。
【００１６】
操作表示部１０３は、ユーザからの操作（入力）を受け付けるソフトボタンやソフトキー、ユーザに情報を通知するための画面等を表示する。本実施形態において操作表示部１０３は、ＭＦＰ１００の正面（排紙口１０４が設置されている側面）に設置されている。そのため、本実施形態において操作表示部１０３は、例えばＡ３の原稿が原稿台に載置された場合、原稿台からはみ出している部分の原稿によって、操作表示部１０３の少なくとも一部が覆われる位置に位置する。
【００１７】
図３は、本実施形態における読取制御装置であるＭＦＰ１００のハードウェア構成を示すブロック図である。上述したように、ＭＦＰ１００は、原稿を読み取ることにより生成した画像データを所定の記憶領域に保存するスキャン機能を有する。さらに、ＭＦＰ１００は、原稿を読み取ることにより生成した画像データに基づく画像を印刷する機能であるコピー機能と、原稿を読み取ることにより生成した画像データをＭＦＰ１００の外部の装置に送信するメール機能等を有する。
【００１８】
ＭＦＰ１００は、外部インターフェース４及び外部バス２を介して外部装置３に接続されている。本実施形態では、外部バス２は、ＵＳＢ（ユニバーサル・シリアル・バス）であり、外部インターフェース４がＵＳＢインターフェースであるものとするが、この形態に限定されない。例えば、外部バス２は、他の有線通信方式によるバスであっても良い。また、ＭＦＰ１００は、外部インターフェース４を無線通信ユニットとすることで、外部装置３と無線によって接続しても良い。その場合、ＭＦＰ１００は、外部装置３と、無線通信でダイレクトに通信しても良いし、ＭＦＰ１００や外部装置３の外部に存在する外部アクセスポイントを介して通信しても良い。ＭＦＰ１００と外部装置３との間の無線接続に用いられる無線通信方式としては、例えば、Ｗｉ−Ｆｉ（ＷｉｒｅｌｅｓｓＦｉｄｅｌｉｔｙ）（登録商標）やＢｌｕｅｔｏｏｔｈ（登録商標）等が挙げられる。また、外部アクセスポイントとしては、例えば、無線ＬＡＮルーター等の機器などが挙げられる。
【００１９】
ＣＰＵ９は、プログラムによってＭＦＰ１００の制御を行うプロセッサである。具体的には、ＣＰＵ９は、ＲＯＭ１０に記憶された制御プログラムをＲＡＭ１１に展開し、必要な時に読み出して読取制御や印刷制御などの各種制御を行う。
【００２０】
内部バス１３は、ＭＦＰ１００が備える各ハードウェア構成を接続するバスである。
【００２１】
ＲＯＭ１０は、ＣＰＵ９が実行する制御プログラムや組込オペレーティングシステム（以下、ＯＳ）プログラム等の各種プログラムを格納する。本実施形態では、ＲＯＭ１０に格納されている制御プログラムは、ＲＯＭ１０に格納されている組込ＯＳの管理下で、スケジューリングやタスクスイッチ等のソフトウェア制御を行う。また、本実施形態では、ＲＯＭ１０は、画像データ、各種プログラム及び各種設定情報も格納する。本実施形態では、ＲＯＭ１０としてフラッシュストレージ等を想定しているが、ハードディスク等の補助記憶装置であってもよい。また、本実施形態では、ＲＯＭ１０は、自発光読み取り対象の読取りプログラム、反射光読み取り対象の読取りプログラム、後述する向き判定のためのプログラム等を格納する。各プログラムによって実行される制御については後述する。
【００２２】
ＲＡＭ１１は、ＳＲＡＭ（ｓｔａｔｉｃ  ＲＡＭ）等で構成されたメモリで、プログラム制御変数や、ユーザが登録した設定値などの電力受給装置２００の管理データを格納し、各種ワーク用バッファ領域が設けられている。なお、これらのデータは、ＲＡＭ１１でなく、ＲＯＭ１０や不揮発性ＲＡＭ１２等の他の記憶領域に保存されても良い。また、ＲＡＭ１１は、ワークエリアやＲＯＭ１０に記憶された各種プログラムを展開する為の一時記憶領域として用いられる。本実施形態では、ＲＡＭ１１は、自発光読み取り対象および反射光読み取り対象の読取りプログラムによって生成された画像データや、後述する向き判定による判定結果等を格納する。不揮発性ＲＡＭ１２は、電源がオフされてもデータを揮発させずに保持可能なメモリである。具体的には、不揮発性ＲＡＭ１２には、ネットワーク情報などのユーザデータ、過去に接続した外部装置のリスト、印刷モードなどのメニュー項目、記録ヘッドの補正情報といったＭＦＰ１００の設定情報等が記憶される。なお、本実施形態では、ＣＰＵ９やＲＯＭ１０、ＲＡＭ１１等によりコンピュータが形成される。
【００２３】
操作表示部５には、タッチパネル機能を有する液晶表示部や操作キーなどが備えられており、操作表示部１０３に対応する。すなわち操作表示部５は、ユーザから各種操作を受け付ける操作部や、ユーザに情報を表示する表示部として機能する。なお、本実施形態では、操作表示部５をタッチパネルで構成することで、操作部と表示部とを同一のユニットとしているが、例えば、操作部を物理キー等で構成することで、操作部と表示部とを別々のユニットとして構成しても良い。また、ＭＦＰ１００は、操作表示部５に対するユーザからの操作を受け付けることで、ユーザから印刷動作命令やコピー動作命令、スキャン動作命令を受け付けることが可能である。なお、ＭＦＰ１００は、操作表示部５を介してユーザから印刷動作命令を受け付ける場合には、例えばＳＤカード等の記録媒体に格納された画像データに基づいて印刷を行う。
【００２４】
画像読取制御部６は、イメージセンサユニット（読み取り部）によって原稿を読み取ることで得られたアナログ電気信号をＡ／Ｄ（アナログ／デジタル）変換するとともに、イメージセンサユニットの特性補正を行う回路である。イメージセンサユニットは、原稿に光を照射する光源やその反射光を読み取り、光電変換する素子を配列したイメージセンサを含む。また、画像読取制御部６は、アナログ電気信号がＡ／Ｄ変換されることで得られる画像データをＲＡＭ１１へ記憶するために、ＤＭＡ（ダイレクトメモリアクセス）転送を行う回路も備える。本実施形態では、イメージセンサユニットは、反射光読み取り対象を読取るときは、原稿に光を照射する光源を制御し、自発光読み取り対象を読取るときは、原稿に光を照射する光源は発光させない制御を行う。
【００２５】
画像処理部７は、ＲＡＭ１１等のメモリに記憶されている画像データを読み出し、スムージング処理や記録濃度補正処理、色補正などの各種画像処理を行う回路である。また、画像処理部７は、ＲＡＭ１１等のメモリに記憶されている画像データを読み出し、ＪＰＥＧ法などを用いて符号化処理する回路と、符号化データを復号化処理する回路を備える。符号化の方法として、例えば、ＪＰＥＧ法を適用可能であるが、他の符号化方式が適用されても良い。
【００２６】
スピーカ１４は、音を発することが可能なスピーカである。スピーカ１４が発する音は、例えば、ブザー音であっても良いし、音声であっても良い。
【００２７】
なお、本実施形態では、読取制御装置が、読み取り部や画像読取制御部６、画像処理部７を有しているものとしたが、この形態に限定されず、それらの構成全てを備えていなくても良い。例えば、読取制御装置は、それらの構成を備える外付けのスキャナ装置にスキャン指示を送信することで、当該スキャナ装置から画像データを取得する装置であっても良い。
【００２８】
なお、外部装置３とは、ＭＦＰ１００の外部の装置であり、例えば、携帯電話、スマートホン、パーソナルコンピュータ（ＰＣ）、タブレット端末、ＰＤＡ（Ｐｅｒｓｏｎａｌ  Ｄｉｇｉｔａｌ  Ａｓｓｉｓｔａｎｔ）、デジタルカメラ等の装置である。以上が、ハードウェア構成図の説明となる。
【００２９】
本実施形態におけるスキャン処理について説明する。ＭＦＰ１００をスキャナとして用いる場合、まず、ＣＰＵ９は、後述の原稿読み取り面上に載置された原稿にＬＥＤによって光を照射しながら、イメージセンサユニットを含む画像読取制御部６を所定の方向に走査する。具体的には、ＣＰＵ９は、ＬＥＤが発する光をＲ（Ｒｅｄ），Ｇ（Ｇｒｅｅｎ），Ｂ（Ｂｌｕｅ）と変化させてイメージセンサへの入射光を制御する。そして、ＣＰＵ９は、原稿から反射した光を画像読取制御部６のイメージセンサで読み取り、アナログ電気信号を得る。そしてＣＰＵ９は、画像読取制御部６で、得られたアナログ電気信号に対しＡ／Ｄ変換と特性補正を行い、デジタル信号を得る。なお、本実施形態において、イメージセンサによってある領域に対応する出力を得ることは、イメージセンサによって当該領域の原稿を読み取り、当該領域に対応する画像データを生成することに対応する。そしてＣＰＵ９は、デジタル信号を画像データとしてＲＡＭ１１に保存する。そしてＣＰＵ９は、ＲＡＭ１１に保存した画像データを画像処理部７でＪＰＥＧ符号化して符号化データを得る。そしてＣＰＵ９は、符号化データをＲＡＭ１１に記憶する。そしてＣＰＵ９は、符号化データを外部インターフェース４から外部バス２を介して外部装置３に送信する。外部装置３は、受信した符号化データを復号化することで、スキャンにより得られた画像データを取得することができる。
【００３０】
なお、ＭＦＰ１００を複写機として用い、コピー処理を実行する場合、ＣＰＵ９は、符号化データをＲＡＭ１１に記憶するまでは、上述のスキャン処理と同様の処理を行う。ＣＰＵ９は、その後、画像処理部７で符号化データを復号化し、再度画像データを得る。そしてＣＰＵ９は、得られた画像データに様々な画像処理を行い、印刷データを得る。そしてＣＰＵ９は、画像形成部８に、得られた印刷データに基づく画像を、記録剤（インク、トナー等）によって記録媒体（紙等）上に形成させる。これにより、コピー処理が実行される。
【００３１】
図２は、ＭＦＰ１００が備える画像読取制御部６の概略断面図である。
【００３２】
原稿台２０１はスキャナセンサと原稿間の距離を一定に保つためのコンタクトガラスで構成されている。原稿台２０１上には、原稿を載置可能である。
【００３３】
スキャナカバー２０２は、原稿台２０１を覆う閉じ位置と、原稿台２０１を開放する開放位置との間で回動可能なカバーである。なおスキャナカバー２０２は、スキャナカバー２０２のＭＦＰ１００の背面側の端部に位置する基準軸２０７を軸に回動する。スキャナカバー２０２が持ち上げられ、原稿台２０１が開放位置に位置すると、ユーザは原稿台２０１に原稿を載置することができる。なお、スキャナカバー２０２は閉じ位置に位置することで、原稿台２０１上に載置された原稿を押さえる圧板としても機能する。なお、ユーザは原稿台２０１に載置されたヒンジを支点としてスキャナカバー２０２を持ち上げる（原稿台２０１に対して垂直方向上方に回動させる）ことができる。このとき、スキャナカバー２０２における、原稿台２０１上に載置された原稿に接する面には、スキャン画像データを損なわずに得るための白色のシートが貼り付けられている。なお、原稿台２０１上に載置された原稿に接する面とは、言い換えれば、スキャナカバー２０２が閉じ位置に位置する状態で原稿台２０１に対向する面である。画像読取制御部６は、スキャナカバー２０２が閉じ位置に位置しており外部からの光が遮断されている状態で、スキャナカバー２０２と原稿台２０１の間に載置された被読み取り物（原稿等）を読み取って、画像データを生成する。なお、画像読取制御部６が被読み取り物の読み取りに用いる構成として、本実施形態では、画像読取制御部６は、コンタクトイメージセンサ（以下ＣＩＳ）で構成されるイメージセンサユニット２０３によって読み取りを行う。
【００３４】
また、画像読取制御部６は、イメージセンサユニット２０３と、イメージセンサユニット２０３を原稿台２０１と略水平の方向（方向２０４）に駆動させる移動装置を含む。なお、画像読取制御部６の構成は上述の形態に限定されない。例えば、画像読取制御部６には、ＣＣＤイメージセンサ等、公知の構成が適用可能である。なお、イメージセンサユニット２０３は、読み取り動作中以外は、待機位置２０５に位置する。本実施形態では、待機位置２０５は、キャリブレーションシート２０６に対向する位置である。キャリブレーションシート２０６は、イメージセンサユニット２０３の特性補正を行うための白基準データを取得するためのシートである。
【００３５】
＜大判原稿スキャン及び大判原稿コピーについて＞
上述したように本実施形態において、ＭＦＰ１００が一度に読み取り可能な最大サイズはＡ４である。しかし、Ａ４より大きいサイズの原稿を、原稿の置き方を変えて複数回読み取ることで、Ａ４より大きいサイズの原稿の読み取りを可能とする方法がある。この方法を大判原稿スキャンという。また、大判原稿スキャン後に、大判原稿スキャンによって得られた複数の画像データに基づく画像を１枚の用紙に印刷する方法を、大判原稿コピーという。なお当然、複数回の読み取りにおいて、１枚の原稿のそれぞれ異なる部分が読み取られる。
【００３６】
図７は、本実施形態の大判原稿コピーにおける画像の結合処理を説明するための図である。画像データ７００は、１回目のスキャンによって得られた、Ａ３原稿の上半分に対応する画像データである。画像データ７０１は、２回目のスキャンによって得られた、Ａ３原稿の下半分に対応する画像データである。画像データ７００と画像データ７０１は、例えば、ＪＰＥＧ形式で不揮発性ＲＡＭ１２に保存される。すなわちまず、大判原稿コピーでは、大判の原稿における同一面に含まれる２つの領域を、２回のスキャンによって読み取る。
【００３７】
結合処理において、まず、画像データ７００が、バンド単位に分割される。そして、反時計回りに９０°回転させられた状態で印刷されるように、各バンドに対応する画像データが、画像処理部７内のＪＰＥＧ伸張部によって伸長された後、画像形成部８内のプリントエンジンに送信される。これより、反時計回り９０°回転させられた画像データ７００に対応する画像が、用紙に印刷される。次に、画像データ７０１が、バンド単位に分割される。そして、時計回りに９０°回転させられた状態で印刷されるように、各バンドに対応する画像データが、画像処理部７内のＪＰＥＧ伸張部によって伸長された後、画像形成部８内のプリントエンジンに送信される。これより、画像データ７００に対応する画像に続いて、時計回りに９０°回転させられた画像データ７０１に対応する画像が、用紙に印刷される。すなわち、１枚の用紙に、画像データ７００に対応する画像と画像データ７０１に対応する画像とが連続した画像である画像７０４が印刷される。
【００３８】
なお、大判原稿コピーにおける結合処理は上述の形態に限定されない。例えば、画像データ７００と画像データ７０１とを結合して１つの画像データを生成して、生成された画像データに基づく画像を１枚の用紙に印刷しても良い。
【００３９】
図４は、本実施形態においてＭＦＰ１００が操作表示部１０３に表示する、コピー機能に関する画面の一例を示す図である。
【００４０】
メニュー選択画面４００は、いずれのコピー機能を利用するかの指定をユーザから受け付けるための画面である。メニュー選択画面４００は、不図示の画面において、ユーザからコピー処理の実行を指示された場合に表示される。標準コピーボタン４００ａは、原稿台１０１に置かれた任意のサイズの原稿を読み取り、任意の出力用紙サイズに変倍等を行い印刷する標準コピー機能を選択するためのボタンである。標準コピーにおいては、上述の大判原稿コピーと異なり、１回のスキャン処理で得られた画像データに基づく画像が、他の画像と結合されることなく、記録媒体に印刷される。フチなしコピーボタン４００ｂは、原稿台１０１に置かれた任意のサイズの原稿を読み取り、任意の出力用紙サイズに対しフチなしで印刷するフチなしコピー機能を選択するためのボタンである。フチなしコピーにおいても、上述の大判原稿コピーと異なり、１回のスキャン処理で得られた画像データに基づく画像が、他の画像と結合されることなく、記録媒体に印刷される。大判原稿コピーボタン４００ｃは、原稿の上半分と下半分を二回に分けて読み取り、二つの画像を結合して印刷する大判原稿コピー機能を選択するためのボタンである。大判原稿コピーの詳細は、上述したとおりである。大判原稿コピーボタン４００ｃが選択されると、操作表示部１０３が表示する画面が原稿指定画面４０１に切り替わる。
【００４１】
原稿指定画面４０１は、大判原稿コピーにおいて読み取られる原稿のサイズの指定をユーザから受け付けるための画面である。ボタン４０１ａは、１１ｘ１７のサイズを指定するためのボタンであり、ボタン４０１ｂは、Ａ３のサイズを指定するためのボタンであり、ボタン４０１ｃはＢ４のサイズを指定するためのボタンである。各ボタンの内いずれかが選択されると、操作表示部１０３が表示する画面が用紙指定画面４０２に切り替わる。
【００４２】
用紙指定画面４０２は、印刷に用いられる用紙のサイズの指定をユーザから受け付けるための画面である。ボタン４０２ａは、Ａ３のサイズを指定するためのボタンであり、ボタン４０１ｂは、Ａ４のサイズを指定するためのボタンである。各ボタンの内いずれかが選択されると、操作表示部１０３が表示する画面が通知画面４０３に切り替わる。
【００４３】
通知画面４０３は、ユーザに対して、原稿の上半分を原稿台に置くことを促す画面である。原稿の置き方を正確に指示するために、通知画面４０３に原稿の置き方を示す図が含まれても良い。ＯＫボタン４０３ａが押下されると、操作表示部１０３が表示する画面が指示受け付け画面４０４に切り替わる。
【００４４】
指示受け付け画面４０４は、ユーザからコピーの開始指示を受け付けるための画面である。設定ボタン４０４ａが押下されると、操作表示部１０３が表示する画面が原稿指定画面４０１に戻る。すなわち、ユーザは、設定ボタン４０４ａを押下することで、大判原稿コピーの設定をやり直すことができる。モノクロボタン４０４ｂが押下されると、モノクロコピー処理が開始される。カラーボタン４０４ｃが押下されるカラーコピー処理が開始される。なお、モノクロコピー処理及びカラーコピー処理において、まず、原稿の上半分を読み取る処理が開始される。モノクロボタン４０４ｂ又はカラーボタン４０４ｃが押下されると、操作表示部１０３が表示する画面が読取中画面４０５に切り替わる。
【００４５】
読取中画面４０５は、原稿を読取り中である旨をユーザに通知する画面である。原稿の読み取りが完了すると、操作表示部１０３が表示する画面が通知画面４０６に切り替わる。
【００４６】
通知画面４０６は、原稿の下半分を原稿台１０１に置くことを促す画面である。具体的には、上半分が読み取られた原稿を１８０°回転させて、原稿台に置くこと（原稿を載置し直すこと）を促す画面である。原稿の置き方を正確に指示するために、通知画面４０６に原稿の置き方を示す図が含まれても良い。通知画面４０６は、原稿の読み取りが完了した場合に表示される画面であるため、原稿の読み取りが完了したことを通知する役割も担う。このように、本実施形態では、原稿の上半分の読み取り完了した場合に、ユーザに通知を行うことで、原稿の置き直しをユーザに促す。読み取り開始ボタン４０６ａが押下されると、原稿の下半分の読み取りが開始される。原稿の下半分の読み取りが開始された後は、画像の結合処理が行われて、画像が印刷される。画像の印刷が開始されると、操作表示部１０３が表示する画面が印刷中画面４０７に切り替わる。
【００４７】
印刷中画面４０７は、印刷中である旨をユーザに通知する画面である。印刷が完了すると、操作表示部１０３が表示する画面が原稿指定画面４０１に戻る。
【００４８】
ここで本実施形態における課題を説明する。図５は、大判原稿コピーのために大きな原稿（ここでは、Ａ３原稿１０６）が原稿台１０１上にセットされている状態のＭＦＰ１００の外観図である。図５において、Ａ３原稿１０６の上半分の読み取りを行うために、原稿台の上にＡ３原稿１０６の上半分が置かれている。このとき、Ａ３原稿１０６の下半分は、原稿台からはみ出すことになり、Ａ３原稿１０６が、操作表示部１０３を覆った状態となる。その結果、ＭＦＰ１００は大判原稿コピー中、原稿の読み取りが完了したことを操作表示部１０３で通知して、原稿の置き直しをユーザに促す必要があるにもかかわらず、大判原稿コピー中ユーザは、操作表示部１０３が表示する画面を視認しづらくなる。
【００４９】
そこで本実施形態では、大判原稿コピーにおいて、１回の原稿の読み取りが完了したことに基づいて実行されるユーザへの通知を、ユーザに認識させ易くする形態について説明する。
【００５０】
図６は、本実施形態においてＭＦＰ１００が実行する処理を示すフローチャートである。なお、本フローチャートが示す処理は、例えば、ＲＯＭ１０等のメモリに格納されたプログラムをＣＰＵ９がＲＡＭ１１に読み出して実行することにより実現される。
【００５１】
まず、Ｓ６０１にて、ＣＰＵ９は、ユーザからコピー処理の実行を指示されることに応じて、メニュー選択画面４００を操作表示部１０３に表示する。そして、ユーザから、メニュー選択画面４００に対する操作を受け付ける。
【００５２】
次に、Ｓ６０２にて、ＣＰＵ９は、メニュー選択画面４００に対して行われた操作が、大判原稿コピーの実行指示か否かを判定する。具体的には、ＣＰＵ９は、メニュー選択画面４００に対して行われた操作が、大判原稿コピーボタン４００ｃの押下か否かを判定する。ＣＰＵ９は、メニュー選択画面４００に対して行われた操作が、大判原稿コピーボタン４００ｃの押下である場合、Ｓ６０３に進む。一方、ＣＰＵ９は、メニュー選択画面４００に対して行われた操作が、大判原稿コピーボタン４００ｃの押下でない（標準コピーボタン４００ａ又はフチなしコピーボタン４００ｂの押下である）場合、Ｓ６１３に進む。
【００５３】
大判原稿コピーボタン４００ｃが押下された後の処理について以下に説明する。Ｓ６０３にて、ＣＰＵ９は、原稿指定画面４０１を操作表示部１０３に表示する。そして、ユーザから、原稿指定画面４０１に対する操作を受け付ける。
【００５４】
次に、Ｓ６０４にて、ＣＰＵ９は、用紙指定画面４０２を操作表示部１０３に表示する。そして、ユーザから、用紙指定画面４０２に対する操作を受け付ける。
【００５５】
次に、Ｓ６０５にて、ＣＰＵ９は、通知画面４０３を操作表示部１０３に表示する。これにより、ユーザは、原稿の上半分を原稿台１０１に載置する。そして、ユーザから、通知画面４０３に対する操作を受け付ける。
【００５６】
次に、Ｓ６０６にて、ＣＰＵ９は、指示受け付け画面４０４を操作表示部１０３に表示する。そして、ユーザから、モノクロボタン４０４ｂ又はカラーボタン４０４ｃの押下を受け付ける。
【００５７】
次に、Ｓ６０７にて、ＣＰＵ９は、原稿台１０１に載置された原稿の読み取りを開始する。なお、この時実行される読み取りにおける読み取り幅は、原稿指定画面４０１において指定された原稿の種類に応じて制御される。そして、ＣＰＵ９は、読取中画面４０５を操作表示部１０３に表示する。
【００５８】
次に、Ｓ６０８にて、ＣＰＵ９は、原稿の読み取りが完了したか否かを判定する。ＣＰＵ９は、原稿の読み取りが完了していない場合、再びＳ６０８を実行し、原稿の読み取りが完了した場合、Ｓ６０９に進む。
【００５９】
Ｓ６０９にて、ＣＰＵ９は、読み取り完了通知処理を実行する。読み取り完了通知処理は、Ｓ６０７による読み取りが完了したことを通知するための処理である。また、読み取り完了通知処理は、Ｓ６１０の読み取りのために原稿台上の原稿を載置し直すことをユーザに通知するための処理である。本実施形態において、読み取り完了通知処理として、ＣＰＵ９は、操作表示部１０３に通知画面４０６を表示するだけでなく、スピーカ１４によってブザー音を発する。これにより、読み取り完了時に、図５に示すようにしてユーザが操作表示部１０３を視認しづらい状態になっている場合にも、ユーザに、読み取りが完了したことを通知し、原稿の置き替えをユーザに指示することができる。なお、この時ブザー音ではなく、Ｓ６０７による読み取りが完了したことやＳ６１０の読み取りのために原稿台上の原稿を載置し直すことを通知するための音声が発されても良い。音による通知により、ユーザは、Ｓ６０７による読み取りが完了したことを操作表示部１０３を見ることなく認識し、原稿の下半分を原稿台１０１に載置する。その後、ＣＰＵ９は、通知画面４０６に対する操作を受け付ける。
【００６０】
Ｓ６１０にて、ＣＰＵ９は、原稿台１０１に載置された原稿の読み取りを開始する。なお、Ｓ６０７における読み取りと同様、この時実行される読み取りにおける読み取り幅や高さは、原稿指定画面４０１において指定された原稿の種類に応じて制御される。そして、ＣＰＵ９は、読取中画面４０５を操作表示部１０３に表示する。なお、本実施形態では、原稿指定画面４０１において指定された原稿の種類がＡ３であれば、原稿のＡ４分の領域を２回読み取ることで原稿の全面を読み取るため、この時の読み取り幅や高さはＡ４に対応する幅や高さである。また、原稿指定画面４０１において指定された原稿の種類がＢ４であれば、原稿のＢ５分の領域を２回読み取ることで原稿の全面を読み取るため、この時の読み取り幅や高さはＢ５に対応する幅や高さである。また、原稿指定画面４０１において指定された原稿の種類が１１×１７サイズであれば、原稿のＬｅｔｔｅｒサイズ分の領域を２回読み取ることで原稿の全面を読み取るため、この時の読み取り幅や高さはＬｅｔｔｅｒサイズに対応する幅や高さである。
【００６１】
次に、Ｓ６１１にて、ＣＰＵ９は、原稿の読み取りが完了したか否かを判定する。ＣＰＵ９は、原稿の読み取りが完了していない場合、再びＳ６１１を実行し、原稿の読み取りが完了した場合、Ｓ６１２に進む。なお、大判原稿コピーにおける最後（２回目）の読み取りが完了したときには、読み取り完了通知処理は実行されない。すなわち、スピーカ１４は、音による通知を、大判原稿コピーにおける１回目の読み取りの完了時だけ実行し、大判原稿コピーにおける２回目の読み取りの完了時には実行しない。これは、最後の読み取り完了時には、ユーザが実行すべき操作がないためである。これにより、必要以上に音による通知が行われて、ユーザが音による通知を煩わしく感じることを抑制できる。なお、音による通知の煩わしさの抑制よりも、読み取りの完了をユーザにより確実に伝えることを優先させるのであれば、この形態に限定されず、最後の読み取り完了時にも音による通知が行われても良い。
【００６２】
Ｓ６１２にて、ＣＰＵ９は、印刷を開始する。このとき、図７にて説明したようにして、Ｓ６０５において得られた画像データに基づく画像と、Ｓ６１０において得られた画像データに基づく画像とが、Ｓ６０４で指定された１枚の用紙に印刷される。なおこの時、指示受け付け画面４０４においてモノクロボタン４０４ｂが押下されたのであればモノクロ印刷が行われ、指示受け付け画面４０４においてカラーボタン４０４ｃが押下されたのであればカラー印刷が行われる。また、印刷が開始されると、ＣＰＵ９は、印刷中画面４０７を操作表示部１０３に表示する。印刷完了後、ＣＰＵ９は処理を終了し、メニュー選択画面４００を再び表示する。
【００６３】
標準コピーボタン４００ａ又はフチなしコピーボタン４００ｂが押下された後の処理について以下に説明する。Ｓ６１３では、ＣＰＵ９は、原稿指定画面を操作表示部１０３に表示する。なお、標準コピー及びフチなしコピーは、大判原稿コピーと異なり、１回の読み取りで得られた画像データのみを１枚の用紙にコピーする通常のコピー処理である。すなわち、標準コピー及びフチなしコピーにおいては、１回の読み取りで一方の面の全ての領域（全面）を読み取り可能な原稿が、原稿台１０１に載置されるべきである。そのため、ここで表示される原稿指定画面において指定可能な原稿のサイズは、ＭＦＰ１００が１回の読み取りで読み取り可能な最大サイズ以下のサイズである。そして、ＣＰＵ９は、ユーザから、原稿指定画面４０１に対する操作を受け付ける。
【００６４】
次に、Ｓ６１４にて、ＣＰＵ９は、用紙指定画面４０２を操作表示部１０３に表示する。そして、ユーザから、用紙指定画面４０２に対する操作を受け付ける。なお、標準コピー及びフチなしコピーにおいて表示される用紙指定画面は、大判原稿コピーにおいて表示される用紙指定画面と異なっていても良い。例えば、標準コピー及びフチなしコピーにおいて表示される用紙指定画面における用紙種類の選択肢は、大判原稿コピーにおいて表示される用紙指定画面における用紙種類選択肢より多くても良い。また、本実施形態の標準コピー又はフチなしコピーにおいては、大判原稿コピーと異なり、用紙指定画面４０２に対する操作が受け付けられた後に、通知画面４０３は表示されない。これは、大判原稿コピーと異なる通常のコピーにおける原稿の載置方法は、ユーザは既に把握している可能性が高いためである。
【００６５】
次に、Ｓ６１５にて、ＣＰＵ９は、指示受け付け画面４０４を操作表示部１０３に表示する。そして、ユーザから、モノクロボタン４０４ｂ又はカラーボタン４０４ｃの押下を受け付ける。
【００６６】
次に、Ｓ６１６にて、ＣＰＵ９は、原稿台１０１に載置された原稿の読み取りを開始する。なお、この時実行される読み取りにおける読み取り幅は、原稿指定画面において指定された原稿の種類に応じて制御される。そして、ＣＰＵ９は、読取中画面４０５を操作表示部１０３に表示する。
【００６７】
次に、Ｓ６１７にて、ＣＰＵ９は、原稿の読み取りが完了したか否かを判定する。ＣＰＵ９は、原稿の読み取りが完了していない場合、再びＳ６１７を実行し、原稿の読み取りが完了した場合、Ｓ６１８に進む。なお、標準コピー及びフチなしコピーにおける読み取りが完了したときには、読み取り完了通知処理は実行されない。すなわち、スピーカ１４は、音による通知を、大判原稿コピーにおける１回目の読み取りの完了時だけ実行し、標準コピー及びフチなしコピーにおける読み取りの完了時には実行しない。
【００６８】
Ｓ６１８にて、ＣＰＵ９は、印刷を開始する。このとき、Ｓ６１６において得られた画像データに基づく画像が、Ｓ６１４で指定された１枚の用紙に印刷される。なおこの時、メニュー選択画面４００において標準コピーボタン４００ａが押下されたのであれば、用紙に余白が生じるようにして画像が印刷される。一方、メニュー選択画面４００においてフチなしコピーボタン４００ｂが押下されたのであれば、用紙に余白が生じないようにして画像が印刷される。また、指示受け付け画面４０４においてモノクロボタン４０４ｂが押下されたのであればモノクロ印刷が行われ、指示受け付け画面４０４においてカラーボタン４０４ｃが押下されたのであればカラー印刷が行われる。また、印刷が開始されると、ＣＰＵ９は、印刷中画面４０７を操作表示部１０３に表示する。印刷完了後、ＣＰＵ９は処理を終了し、メニュー選択画面４００を再び表示する。
【００６９】
このような形態とすることで、大判原稿コピーのような、原稿により操作表示部１０３が隠れてしまうような処理が実行される場合にも、ユーザに通知を行うことができる。ひいては、大判原稿コピーにおけるユーザの利便性を向上させることができる。
【００７０】
（第２の実施形態）
上述の実施形態では、大判原稿コピーにおける１回目の読み取り完了時に、原稿台１０１に置かれた原稿のサイズにかかわらずユーザに対して音による通知を行う形態について説明した。本実施形態では、大判原稿コピーにおける１回目の読み取り完了時に、原稿台１０１に置かれた原稿のサイズに基づいてユーザに対して音による通知を行うか否かを制御する形態について説明する。なお、第１実施形態と同様の構成や処理については説明を省略する。
【００７１】
図８は、ＭＦＰ１００のサイズを示した図である。距離ａは、原稿台１０１の幅と、原稿台１０１の右端からＭＦＰ１００の筐体の角までの距離との和を示したものである。距離ｂは、ＭＦＰ１００の筐体の角から操作表示部１０３の下端までの距離を示したものである。原稿台１０１に置かれた原稿の長さが距離ａ＋ｂを超える場合に、操作表示部１０３が覆われやすくなり、ユーザが操作表示部１０３を特に視認しにくくなる。そこで、本実施形態では、原稿台１０１に置かれる原稿の長さが距離ａ＋ｂを超える場合に、音による通知を行い、原稿台１０１に置かれる原稿の長さが距離ａ＋ｂを超えない場合に音による通知を行わない形態について説明する。
【００７２】
図９は、本実施形態においてＭＦＰ１００が実行する処理を示すフローである。なお、本フローチャートが示す処理は、例えば、ＲＯＭ１０等のメモリに格納されたプログラムをＣＰＵ９がＲＡＭ１１に読み出して実行することにより実現される。
【００７３】
Ｓ９０１〜Ｓ９１８の処理は、Ｓ６０１〜Ｓ６１８の処理と同様のため説明を省略する。
【００７４】
Ｓ９１９では、ＣＰＵ９は、音による通知を行うか否かを判定する。具体的には例えば、ＣＰＵ９は、原稿指定画面４０１に対するユーザの入力によって指定された原稿の長さが、距離ａ＋ｂを超えるか否かを判定する。原稿指定画面４０１において指定された原稿の長さが、距離ａ＋ｂを超えれば、音による通知を行うと判定される。そして、原稿指定画面４０１において指定された原稿の長さが、距離ａ＋ｂを超えなければ、音による通知を行わないと判定される。なお、判定方法はこの方法に限定されない。原稿指定画面４０１において指定可能な原稿の内、長さが距離ａ＋ｂを超えるものがいずれであるかに関する情報が予め不揮発性ＲＡＭ１２等に記憶されているものとする。そして、ＣＰＵ９は、原稿指定画面４０１において指定された原稿が、予め記憶されていた上記情報によって示される原稿でないか否かを判定しても良い。なお、操作表示部１０３が、回動可能な部材に取り付けられている場合は、当該部材の回動状態等によって、原稿台１０１に載置された場合にユーザが操作表示部１０３を視認できなくなる可能性が高い原稿の長さが異なる場合がある。そのため、音による通知を行うか否かの判定に用いられる長さは、距離ａ＋ｂに限定されず、任意の長さであっても良い。ＣＰＵ９は、音による通知を行う場合、Ｓ９０９に進み、音による通知を行わない場合、Ｓ９２０に進む。
【００７５】
Ｓ９２０では、ＣＰＵ９は、読み取り完了通知処理を実行する。なお、Ｓ９２０における通知処理では、Ｓ９０９における通知処理と異なり、ＣＰＵ９は、操作表示部１０３に通知画面４０６を表示するが、スピーカ１４によってブザー音を発することはしない。
【００７６】
このように本実施形態では、大判原稿コピーにおける１回目の読み取り完了時であっても、ユーザが操作表示部１０３を視認しにくい状態でない可能性が高ければ、ブザー音を発しない。これにより、ブザー音が発せられることによりユーザが煩わしさを感じることを抑制できる。
【００７７】
（その他の実施形態）
上述では、複数回の読み取りによって得られた画像データに対応する複数の画像を含む大判画像を出力するための出力処理として、印刷を実行する形態（大判原稿コピー機能）において音による通知を行う形態を説明したがこの形態に限定されない。大判画像を操作表示部１０３に表示する処理を出力処理として実行する形態や、大判画像を表すための画像データを所定のメモリに保存する処理を出力処理として実行する形態において音による通知が行われても良い。また例えば、大判画像を表すための画像データをメール等によって他の装置に送信する処理を出力処理として実行する形態や、他の装置が備える表示部に大判画像を表示する処理を出力処理として実行する形態において音による通知が行われても良い。
【００７８】
また、上述では、音による通知を行う形態を説明したが、この形態に限定されず、操作表示部１０３を用いた通知でなければ、いずれの方法の通知が用いられても良い。例えば、ＭＦＰ１００の、大判原稿コピー時に原稿によって覆われない位置に配置されるＬＥＤ等の発光部を点灯させることによって、ユーザに光による通知を行っても良い。または、音による通知と、光による通知の両方が実行されても良い。
【００７９】
また、ＭＦＰ１００は、音による通知を行うか否かの設定を、ユーザから受け付け可能であっても良い。そして、ＭＦＰ１００は、音による通知を行う設定がなされていれば、大判原稿コピーにおいて音による通知を行い、音による通知を行わない設定がなされていれば、大判原稿コピーにおいても音による通知を行わなくても良い。
【００８０】
また、上述では、大判原稿コピーにおいて、原稿の一方の面を、原稿の置き方を変えて複数回読み取る形態について説明したが、この形態に限定されない。すなわち、原稿の両面を読み取り、１枚の用紙に、原稿の両面に対応する画像が印刷される形態であっても良い。
【００８１】
また、上述では、大判原稿コピーにおいて、２回の読み取りが行われる形態を説明したが、この形態に限定されない。３回以上の読み取りが行われて、３回以上の読み取りによって得られた画像データに対応する画像が、１枚の用紙に印刷されても良い。３回以上の読み取りが行われる場合は、最後の読み取り以外の各回の読み取り完了時に音による通知が実行され、最後の読み取り時には音による通知が実行されなくても良い。
【００８２】
上述の実施形態は、上述の実施形態の１以上の機能を実現するプログラムをネットワーク又は記憶媒体を介してシステム又は装置に供給し、そのシステム又は装置のコンピュータにおける１つ以上のプロセッサーがプログラムを実行する処理でも実現可能である。また、上述の実施形態は、１以上の機能を実現する回路（例えば、ＡＳＩＣ）によっても実現可能である。
【符号の説明】
【００８３】
１００  ＭＦＰ
【図１】
2020022086.tif 000003
【図２】
2020022086.tif 000004
【図３】
2020022086.tif 000005
【図４】
2020022086.tif 000006
【図５】
2020022086.tif 000007
【図６】
2020022086.tif 000008
【図７】
2020022086.tif 000009
【図８】
2020022086.tif 000010
【図９】
2020022086.tif 000011